(57)【要約】      （修正有）【課題】基準部材を清掃する頻度を低減できる画像読取装置を提供する。【解決手段】画像読取装置１０は、撮像部３５１ａと、白基準部材３５２と、補正部５２とを備える。撮像部３５１ａは、原稿の画像を撮像し、画像を示す第１光量データＤ１を出力する。撮像部３５１ａは、画像を撮像する前に、白基準部材３５２のうち原稿と接触する第１領域を撮像し、第１領域に対応する第２光量データＤ２を出力する。撮像部３５１ａは、画像を撮像する前に、白基準部材３５２のうち原稿Ｒと接触しない第２領域を撮像し、第２領域に対応する第３光量データＤ３を出力する。補正部５２は、第２光量データＤ２に基づいて、第２光量データＤ２及び第３光量データＤ３のうちのいずれかを白基準データとして選択し、白基準データに基づいて、第１光量データＤ１を補正する。【選択図】図４
2017118193.tif 000002
【特許請求の範囲】
【請求項１】
撮像部と、白色の表面を有する白基準部材と、補正部とを備え、
前記撮像部は、
原稿に形成された画像を撮像し、前記画像を示す第１光量データを出力し、
前記画像を撮像する前に、前記白基準部材のうち前記原稿と接触する第１領域を撮像し、前記第１領域に対応する第２光量データを出力し、
前記画像を撮像する前に、前記白基準部材のうち前記原稿と接触しない第２領域を撮像し、前記第２領域に対応する第３光量データを出力し、
前記補正部は、
前記第２光量データに基づいて、前記第２光量データ及び前記第３光量データのうちのいずれかを白基準データとして選択し、
前記白基準データに基づいて、前記第１光量データを補正する、画像読取装置。
【請求項２】
前記補正部は、前記第２光量データの示す光量値が第１閾値より小さい場合に、前記第３光量データを前記白基準データとして選択する、請求項１に記載の画像読取装置。
【請求項３】
前記第３光量データの示す光量値が第２閾値より小さい場合に、前記白基準部材を清掃する旨を報知する報知部を更に備える、請求項１又は請求項２に記載の画像読取装置。
【請求項４】
報知部を更に備え、
前記補正部は、前記第２光量データの示す光量値が第１閾値より小さい場合に、前記第３光量データを前記白基準データとして選択し、
前記報知部は、前記第３光量データの示す光量値が第２閾値より小さい場合に、前記白基準部材を清掃する旨を報知し、
前記第２閾値は、前記第１閾値よりも小さい、請求項１に記載の画像読取装置。
【請求項５】
前記白基準部材は、白色の周面を有する白基準ローラーを含む、請求項１から請求項４のいずれか１項に記載の画像読取装置。
【請求項６】
記録媒体に画像を形成する画像形成部と、
請求項１から請求項５のいずれか１項に記載の画像読取装置と
を備える、画像形成装置。
【発明の詳細な説明】
【技術分野】
【０００１】
本発明は、画像読取装置、及び、画像形成装置に関する。
【背景技術】
【０００２】
一般的に、画像読取装置は、シェーディング補正のために、白基準データを生成する。例えば、特許文献１に記載されている画像読取装置は、白基準ローラーを読取る。そして、画像読取装置は、読取データに基づいて、白基準データを生成する。具体的には、白基準ローラーは、主走査正負方向における少なくとも２つの異なる位置で読取られる。そして、画像読取装置は、少なくとも２つの異なる位置での読取データのうち、白度合いが最も高い読取データに基づいて、白基準データを生成する。つまり、画像読取装置は、白基準ローラーに存在するごみ及び汚れの影響を受けないようにすることで、適正な白基準データを生成する。
【先行技術文献】
【特許文献】
【０００３】
【特許文献１】特開２００６−９３９８０号公報
【発明の概要】
【発明が解決しようとする課題】
【０００４】
しかしながら、特許文献１に記載の画像読取装置では、異なる位置での全ての読取データが、低い白度合いを有する場合がある。つまり、画像読取装置の長時間の稼動によって、白基準ローラーのうち原稿と接触する部分の広い範囲にわたってごみ及び汚れが存在する場合がある。そこで、ユーザーには、白基準ローラーを定期的に清掃することが要求される。しかしながら、ユーザーにとって、白基準ローラー（白基準部材）の清掃は煩わしい。
【０００５】
本発明は、上記課題に鑑みてなされたものであり、白基準部材を清掃する頻度を低減できる画像読取装置、及び、画像形成装置を提供することを目的としている。
【課題を解決するための手段】
【０００６】
本発明の第１の観点によれば、画像読取装置は、撮像部と、白色の表面を有する白基準部材と、補正部とを備える。前記撮像部は、原稿に形成された画像を撮像し、前記画像を示す第１光量データを出力する。前記撮像部は、前記画像を撮像する前に、前記白基準部材のうち前記原稿と接触する第１領域を撮像し、前記第１領域に対応する第２光量データを出力する。前記撮像部は、前記画像を撮像する前に、前記白基準部材のうち前記原稿と接触しない第２領域を撮像し、前記第２領域に対応する第３光量データを出力する。前記補正部は、前記第２光量データに基づいて、前記第２光量データ及び前記第３光量データのうちのいずれかを白基準データとして選択し、前記白基準データに基づいて、前記第１光量データを補正する。
【０００７】
本発明の第２の観点によれば、画像形成装置は、画像形成部と、上記第１の観点による画像読取装置とを備える。前記画像形成部は、記録媒体に画像を形成する。
【発明の効果】
【０００８】
本発明によれば、白基準部材を清掃する頻度を低減できる。
【図面の簡単な説明】
【０００９】
【図１】本発明の実施形態に係る画像形成装置の構成を示す図である。
【図２】図１に示す画像読取ユニット及び原稿搬送ユニットの構成を示す図である。
【図３】図２に示す白基準ローラーを示す平面図である。
【図４】図２に示す制御部を示す機能ブロック図である。
【図５】図２に示す撮像部を示す図である。
【図６】図４に示す制御部の動作を示すフローチャートである。
【図７】図６に示す第１補正処理を示すフローチャートである。
【図８】図６に示す第２補正処理を示すフローチャートである。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
図１を参照して、本発明の実施形態に係る画像形成装置１００について説明する。図１は、画像形成装置１００の構成を示す図である。図１に示すように、画像形成装置１００は、例えば、複合機である。具体的には、画像形成装置１００は、画像形成ユニット１、画像読取ユニット２、原稿搬送ユニット３、操作パネル４、給送ユニット１１、搬送ユニット１３、排出ユニット１５、制御部５、及び記憶部６を備える。また、原稿搬送ユニット３と、操作パネル４と、制御部５と、記憶部６とは、画像読取装置１０を構成する。
【００１２】
画像形成ユニット１は、記録媒体としての用紙Ｐに画像を形成する。画像読取ユニット２は、原稿Ｒに形成された画像を読み取る。原稿搬送ユニット３は、原稿Ｒを画像読取ユニット２に搬送する。原稿搬送ユニット３は、例えば、ＡＤＦ（Ａｕｔｏ  Ｄｏｃｕｍｅｎｔ  Ｆｅｅｄｅｒ）である。操作パネル４は、画像形成装置１００に対するユーザーからの操作を受け付ける。また、操作パネル４は表示部４１を含む。給送ユニット１１は、用紙Ｐを積載するとともに、用紙Ｐを搬送ユニット１３に給送する。搬送ユニット１３は、用紙Ｐを画像形成ユニット１に搬送する。更に、搬送ユニット１３は、画像の形成された用紙Ｐを排出ユニット１５に搬送する。排出ユニット１５は、画像の形成された用紙Ｐを排出する。
【００１３】
制御部５は、画像形成ユニット１、画像読取ユニット２、原稿搬送ユニット３、操作パネル４、給送ユニット１１、搬送ユニット１３、及び排出ユニット１５を制御する。制御部５は、例えば、プロセッサーを含む。プロセッサーは、例えば、ＣＰＵ（Ｃｅｎｔｒａｌ  Ｐｒｏｃｅｓｓｉｎｇ  Ｕｎｉｔ）を含む。記憶部６は、データ及びコンピュータープログラムを記憶する。記憶部６は、例えば、半導体メモリーを含み、ＨＤＤ（Ｈａｒｄ  Ｄｉｓｋ  Ｄｒｉｖｅ）を更に含んでもよい。
【００１４】
次に、図２を参照して、画像読取ユニット２、及び、原稿搬送ユニット３について説明する。図２は、画像読取ユニット２及び原稿搬送ユニット３の構成を示す図である。
【００１５】
図２に示すように、画像読取ユニット２は、コンタクトガラス２１０、光源２２、ミラー群２３、結像レンズ２８、及び、撮像部２９を備える。コンタクトガラス２１０は、原稿載置用ガラス２１２と、原稿自動読取用ガラス２１１とを含む。
【００１６】
画像読取ユニット２は、第１読取方法又は第２読取方法によって原稿Ｒに形成された画像を読み取る。すなわち、第１読取方法では、画像読取ユニット２は、原稿載置用ガラス２１２上に載置された原稿Ｒの画像を読み取る。一方、第２読取方法では、原稿搬送ユニット３は、原稿Ｒを搬送する。そして、原稿Ｒが原稿自動読取用ガラス２１１を通過する際に、画像読取ユニット２は、原稿Ｒの画像を読み取る。
【００１７】
具体的には、第１読取方法では、光源２２は、原稿載置用ガラス２１２を介して、原稿Ｒに光を照射する。一方、第２読取方法では、光源２２は、原稿自動読取用ガラス２１１を介して、原稿Ｒに光を照射する。
そして、第１読取方法及び第２読取方法の各々において、ミラー群２３は、原稿Ｒからの反射光を、結像レンズ２８に入射する。更に、撮像部２９は、結像レンズ２８を介して反射光を受光し、光電変換によって、反射光に対応する画像データ、つまり、原稿Ｒの画像に対応する画像データを出力する。撮像部２９は、例えば、ＣＣＤ（Ｃｈａｒｇｅ  Ｃｏｕｐｌｅｄ  Ｄｅｖｉｃｅ）である。
【００１８】
原稿搬送ユニット３は、原稿トレイ３１、ピックアップローラー３２、給送部３３、搬送ローラー対３４、レジストローラー対３４１、画像読取部３５１、白基準部材としての白基準ローラー３５２、搬送ローラー対３５、読取ガイド３６、搬送ローラー対３７、排出ローラー対３８、及び、原稿排出トレイ３９を備えている。画像読取部３５１は、光源、コンタクトガラス、及び撮像部３５１ａを備える。
【００１９】
原稿トレイ３１には、複数枚の原稿Ｒが載置される。ピックアップローラー３２は、原稿トレイ３１の最上部の原稿Ｒに接触し、最上部の原稿Ｒを１枚ずつ給送部３３に向けて送り出す。給送部３３は、原稿Ｒを搬送ローラー対３４に給送する。搬送ローラー対３４は、原稿Ｒを、レジストローラー対３４１に向けて搬送する。レジストローラー対３４１は、原稿Ｒを、白基準ローラー３５２と画像読取部３５１との間に向けて所定のタイミングで送り出す。
【００２０】
白基準ローラー３５２は、撮像部３５１ａと対向する位置に配置される。白基準ローラー３５２は、白色の周面を有する。白基準ローラー３５２は、原稿Ｒを搬送ローラー対３５に向けて送り出す。白基準ローラー３５２は、駆動ローラーであってもよいし、従動ローラーであってもよい。
【００２１】
画像読取部３５１は、原稿Ｒの両面の画像を読み取る両面読取モードにおいて、原稿Ｒの両面のうちの裏面に形成された画像を読み取る。画像読取部３５１は、例えば、ＣＩＳ（Ｃｏｎｔａｃｔ  Ｉｍａｇｅ  Ｓｅｎｓｏｒ）ユニットである。具体的には、両面読取モードにおいて、撮像部３５１ａは、原稿Ｒの裏面の画像を撮像し、画像を示す第１光量データＤ１を出力する。撮像部３５１ａは、例えば、イメージセンサーである。
【００２２】
また、両面読取モードにおいて、撮像部３５１ａは、原稿Ｒの裏面の画像を撮像する前に、白基準ローラー３５２を撮像し、白基準データを出力する。白基準データは、両面読取モードにおいて、第１光量データＤ１をシェーディング補正（補正）するときに用いられる。本実施形態では、白基準ローラー３５２は、搬送ローラーとしての機能と白基準部材としての機能とを兼用しているため、コストを低減できる。なお、シェーディング補正とは、撮像部３５１ａで撮像した画像全体が平均的に一様な明るさとなるように、白基準ローラー３５２に基づいて、撮像部３５１ａが出力する第１光量データＤ１の光量値を補正することである。
【００２３】
なお、両面読取モードでは、画像読取ユニット２は、原稿Ｒの両面のうちの表面に形成された画像を読み取る。具体的には、両面読取モードにおいて、撮像部２９は、原稿Ｒの両面のうちの表面の画像を撮像する。
【００２４】
搬送ローラー対３５は、原稿Ｒが読取ガイド３６と原稿自動読取用ガラス２１１との間を通過するように、原稿Ｒを搬送ローラー対３７に向けて搬送する。読取ガイド３６は、原稿自動読取用ガラス２１１に対向するように配置される。搬送ローラー対３７は、原稿Ｒを排出ローラー対３８に搬送する。排出ローラー対３８は、原稿Ｒを原稿排出トレイ３９に排出する。
【００２５】
次に、図３及び図４を参照して、白基準ローラー３５２を使用するシェーディング補正について説明する。以下、本実施形態では、シェーディング補正は、両面読取モードにおいて、画像読取装置１０が実行するシェーディング補正を示す。
【００２６】
図３は、画像読取装置１０の白基準ローラー３５２を示す平面図である。図４は、画像読取装置１０の制御部５を示す機能ブロック図である。
【００２７】
図３に示すように、白基準ローラー３５２は、第１領域３５２ａと、一対の第２領域３５２ｂとを有する。第１領域３５２ａは、白基準ローラー３５２のうち原稿Ｒと接触する領域である。例えば、第１領域３５２ａの主走査方向Ｘ１の長さＬ１は、原稿Ｒの幅Ｌ２と略同一である。主走査方向Ｘ１は、白基準ローラー３５２の軸方向に略平行である。幅Ｌ２は、白基準ローラー３５２を通過させることの可能な原稿Ｒの最大幅を示す。一対の第２領域３５２ｂの各々は、白基準ローラー３５２のうち原稿Ｒと接触しない領域である。一対の第２領域３５２ｂは、第１領域３５２ａの両端に隣接して、白基準ローラー３５２の軸方向の両端部にそれぞれが配置される。
【００２８】
図３及び図４に示すように、撮像部３５１ａは、原稿Ｒの画像を撮像し、画像を示す第１光量データＤ１を制御部５に出力する。また、撮像部３５１ａは、原稿Ｒの画像を撮像する前に、第１領域３５２ａを撮像する。そして、撮像部３５１ａは、第１領域３５２ａに対応する第２光量データＤ２を、白基準データとして制御部５に出力する。更に、撮像部３５１ａは、原稿Ｒの画像を撮像する前に、一対の第２領域３５２ｂを撮像する。そして、撮像部３５１ａは、第２領域３５２ｂの各々に対応する第３光量データＤ３を、白基準データとして制御部５に出力する。なお、撮像部３５１ａは、第１領域３５２ａと第２領域３５２ｂとを、同時に撮像してもよいし、異なるタイミングで撮像してもよい。
【００２９】
制御部５は、白基準データに基づいて、シェーディング補正を実行する。具体的には、制御部５は、コンピュータープログラムを実行することによって、光量データ取得部５１、補正部５２、及び報知部５３として機能する。換言すれば、制御部５は、光量データ取得部５１、補正部５２、及び報知部５３を含む。
【００３０】
光量データ取得部５１は、撮像部３５１ａから、第１光量データＤ１、第２光量データＤ２、及び第３光量データＤ３を取得する。
【００３１】
補正部５２は、第２光量データＤ２に基づいて、第２光量データＤ２及び第３光量データＤ３のうちのいずれかを、白基準データとして選択する。そして、補正部５２は、白基準データに基づいて、第１光量データＤ１をシェーディング補正する。具体的には、補正部５２は、第２光量データＤ２の示す光量値ＷＶ１が第１閾値ＴＨ１以上の場合に、第２光量データＤ２を白基準データとして選択する。
【００３２】
第２光量データＤ２を白基準データとして選択する理由は次の通りである。すなわち、光量値ＷＶ１が第１閾値ＴＨ１以上であることは、第１領域３５２ａには、ゴミ、汚れ、及び傷が比較的少ないことを示す。そこで、第１領域３５２ａに対応する第２光量データＤ２を、白基準データとして選択している。その結果、適正な白基準データに基づいて、シェーディング補正を実行できる。
【００３３】
一方、補正部５２は、第２光量データＤ２の示す光量値ＷＶ１が第１閾値ＴＨ１より小さい場合に、第３光量データＤ３を白基準データとして選択する。
【００３４】
第３光量データＤ３を白基準データとして選択する理由は次の通りである。すなわち、光量値ＷＶ１が第１閾値ＴＨ１より小さいことは、第１領域３５２ａに、ゴミ、汚れ、及び／又は傷が比較的多いことを示す。一方、原稿Ｒは第２領域３５２ｂに接触しないため、第２領域３５２ｂには、ゴミ、汚れ、及び傷が少ない可能性が高い。そこで、第１領域３５２ａに対応する第２光量データＤ２ではなく、第２領域３５２ｂに対応する第３光量データＤ３を白基準データとして選択する。その結果、適正な白基準データに基づいて、シェーディング補正を実行できる。
【００３５】
以上、図３及び図４を参照して説明したように、本実施形態によれば、第１領域３５２ａに対応する第２光量データＤ２及び第２領域３５２ｂに対応する第３光量データＤ３のいずれかを白基準データとして選択し、シェーディング補正を実行できる。したがって、第１領域３５２ａに、ゴミ、汚れ、及び／又は傷が比較的多く存在する場合でも、第２領域３５２ｂに対応する第３光量データＤ３を白基準データとして選択し、シェーディング補正を実行できる。その結果、白基準ローラー３５２を清掃する頻度を低減できる。
【００３６】
ただし、報知部５３は、第１領域３５２ａだけでなく、第２領域３５２ｂにも、ゴミ、汚れ、及び／又は傷が比較的多い場合は、白基準ローラー３５２を清掃する旨をユーザーに報知する。報知部５３は、例えば、表示部４１に、「白基準ローラーを清掃して下さい。」とのメッセージを表示させる。具体的には、報知部５３は、第３光量データＤ３の示す光量値ＷＶ２が第２閾値ＴＨ２より小さい場合に、白基準ローラー３５２を清掃する旨をユーザーに報知する。第２閾値ＴＨ２は、第１閾値ＴＨ１よりも小さいことが好ましい。
【００３７】
報知する理由は次の通りである。すなわち、光量値ＷＶ２が第２閾値ＴＨ２より小さいことは、第２領域３５２ｂに、ゴミ、汚れ、及び／又は傷が比較的多いことを示す。一方、第２領域３５２ｂに、ゴミ、汚れ、及び／又は傷が比較的多い場合、第１領域３５２ａにも、ゴミ、汚れ、及び／又は傷が多い可能性が高い。そこで、白基準ローラー３５２を清掃する旨をユーザーに報知する。その結果、ユーザーは、白基準ローラー３５２を清掃するため、適正な白基準データを取得できる。
【００３８】
第２閾値ＴＨ２が小さいことが好ましい理由は、次の通りである。すなわち、第２閾値ＴＨ２が第１閾値ＴＨ１以上の場合は、第２閾値ＴＨ２が第１閾値ＴＨ１よりも小さい場合よりも、報知部５３による報知回数が多くなる。したがって、ユーザーによっては、煩わしいと感じる場合がある。そこで、第２閾値ＴＨ２を第１閾値ＴＨ１よりも小さくして、報知回数を減らしている。
【００３９】
次に、シェーディング補正の詳細について説明する前に、図５を参照して、撮像部３５１ａについて説明する。図５は、撮像部３５１ａを示す図である。図５に示すように、撮像部３５１ａは、撮像素子Ｅ（１）〜撮像素子Ｅ（Ｎ）を有している。撮像素子Ｅ（１）〜撮像素子Ｅ（Ｎ）は、直線状に並んでいる。主走査方向Ｘ１は、撮像素子Ｅ（１）〜撮像素子Ｅ（Ｎ）が並ぶ方向を示す。定数Ｎは４以上の自然数である。
【００４０】
撮像素子Ｅ（１）〜撮像素子Ｅ（Ｎ）は、白基準ローラー３５２に対向している。なお、図５では、図面の簡略化のため、撮像部３５１ａに対して、白基準ローラー３５２を離間して図示している。
【００４１】
具体的には、撮像素子Ｅ（１）〜撮像素子Ｅ（ｍ）は、一対の第２領域３５２ｂのうちの一方の第２領域３５２ｂに対向し、撮像素子Ｅ（Ｎ−ｍ＋１）〜撮像素子Ｅ（Ｎ）は、他方の第２領域３５２ｂに対向する。また、撮像素子Ｅ（ｍ＋１）〜撮像素子Ｅ（Ｎ−ｍ）は、第１領域３５２ａに対向する。定数ｍは定数Ｎより小さい自然数である。
【００４２】
以下、撮像素子Ｅ（１）〜撮像素子Ｅ（Ｎ）が出力するＮ個の光量値を、それぞれ、光量値Ｅ（１）〜光量値Ｅ（Ｎ）と記載する。なお、理解の容易のため、撮像素子と光量値とで、同じ参照符号を付している。また、撮像素子Ｅ（１）〜撮像素子Ｅ（Ｎ）を総称して、撮像素子Ｅ（ｘ）と記載し、光量値Ｅ（１）〜光量値Ｅ（Ｎ）を総称して、光量値Ｅ（ｘ）と記載する場合がある。撮像素子Ｅ（ｘ）及び光量値Ｅ（ｘ）の「ｘ」は、１〜Ｎの値をとることができる。
【００４３】
更に、シェーディング補正の詳細について説明する前に、図４及び図５を参照して、シェーディング補正の際に使用する初期補正係数及び初期白基準データについて説明する。
【００４４】
図４及び図５に示すように、記憶部６は、第１領域３５２ａに対向する撮像素子Ｅ（ｍ＋１）〜撮像素子Ｅ（Ｎ−ｍ）に対応して、初期補正係数Ｋ（ｍ＋１）〜初期補正係数Ｋ（Ｎ−ｍ）を記憶している。初期補正係数Ｋ（ｍ＋１）〜初期補正係数Ｋ（Ｎ−ｍ）は、第１光量データＤ１をシェーディング補正するための係数の初期値である。
【００４５】
また、記憶部６は、初期白基準データを記憶している。具体的には、初期白基準データは、初期白基準値Ｈ（１）〜初期白基準値Ｈ（Ｎ）を含む。したがって、記憶部６は、撮像素子Ｅ（１）〜撮像素子Ｅ（Ｎ）に対応して、初期白基準値Ｈ（１）〜初期白基準値Ｈ（Ｎ）を記憶している。初期白基準値Ｈ（１）〜初期白基準値Ｈ（Ｎ）は、撮像素子Ｅ（１）〜撮像素子Ｅ（Ｎ）が未使用の白基準ローラー３５２を撮像して出力した光量値Ｅ（１）〜光量値Ｅ（Ｎ）である。未使用の白基準ローラー３５２は、例えば、工場から出荷される前の画像形成装置１００の白基準ローラー３５２である。
【００４６】
以下、初期補正係数Ｋ（ｍ＋１）〜初期補正係数Ｋ（Ｎ−ｍ）を総称して、初期補正係数Ｋ（ｘ）と記載する場合がある。初期白基準値Ｈ（１）〜初期白基準値Ｈ（Ｎ）を総称して、初期白基準値Ｈ（ｘ）と記載する場合がある。初期補正係数Ｋ（ｘ）の「ｘ」は、（ｍ＋１）〜（Ｎ−ｍ）の値をとることができ、初期白基準値Ｈ（ｘ）の「ｘ」は、１〜Ｎの値をとることができる。
【００４７】
初期補正係数Ｋ（ｘ）は、光量値Ｅ（ｘ）の取り得る最大値Ｈｍａｘと、初期白基準値Ｈ（ｘ）とを使用して、式（１）に基づき算出される。なお、本実施形態では、黒基準データは０である。
Ｋ（ｘ）＝Ｈｍａｘ÷Ｈ（ｘ）                                ・・・（１）
【００４８】
次に、図４〜図８を参照して、シェーディング補正の詳細について説明する。図６は、シェーディング補正時の制御部５の動作を示すフローチャートである。
【００４９】
図６に示すステップＳ１０１〜ステップＳ１０７は、両面読取モードにおいて、原稿Ｒの画像を読み取る指示が操作パネル４を介して入力されたときに、原稿Ｒの画像を撮像する前に実行される。
【００５０】
図４〜図６に示すように、ステップＳ１０１において、光量データ取得部５１は、撮像部３５１ａから第１領域３５２ａの第２光量データＤ２を取得する。
具体的には、第２光量データＤ２は、光量値Ｕ（ｍ＋１）〜光量値Ｕ（Ｎ−ｍ）を含む。光量値Ｕ（ｍ＋１）〜光量値Ｕ（Ｎ−ｍ）は、撮像素子Ｅ（ｍ＋１）〜撮像素子Ｅ（Ｎ−ｍ）が第１領域３５２ａを撮像して出力した光量値Ｅ（ｍ＋１）〜光量値Ｅ（Ｎ−ｍ）である。以下、光量値Ｕ（ｍ＋１）〜光量値Ｕ（Ｎ−ｍ）を総称して、光量値Ｕ（ｘ）と記載する場合がある。光量値Ｕ（ｘ）の「ｘ」は、（ｍ＋１）〜（Ｎ−ｍ）の値をとることができる。
【００５１】
ステップＳ１０２において、補正部５２は、第２光量データＤ２の示す光量値ＷＶ１が第１閾値ＴＨ１以上であるか否かを判定する。
具体的には、光量値ＷＶ１は、光量値Ｕ（ｍ＋１）〜光量値Ｕ（Ｎ−ｍ）のうちの最小の光量値である。第１閾値ＴＨ１は、高い画像品位が実現されるように、比較的に大きな値に設定される。第１閾値ＴＨ１は、例えば、実験的及び／又は経験的に定められる。
【００５２】
補正部５２は、否定的判定をした場合（ステップＳ１０２でＮＯ）、処理をステップＳ１０４に進める。
一方、補正部５２は、肯定的判定をした場合（ステップＳ１０２でＹＥＳ）、処理をステップＳ１０３に進める。補正部５２の肯定的判定は、補正部５２が、第２光量データＤ２としての光量値Ｕ（ｍ＋１）〜光量値Ｕ（Ｎ−ｍ）を白基準データとして選択したことを示す。
ステップＳ１０３において、補正部５２は、第１補正処理を実行する。
【００５３】
図７は、ステップＳ１０３に示す第１補正処理を示すフローチャートである。図７に示すように、ステップＳ２０１において、補正部５２は、第１修正係数Ｊ１（ｍ＋１）〜第１修正係数Ｊ１（Ｎ−ｍ）を算出する。第１修正係数Ｊ１（ｍ＋１）〜第１修正係数Ｊ１（Ｎ−ｍ）は、それぞれ、初期補正係数Ｋ（ｍ＋１）〜初期補正係数Ｋ（Ｎ−ｍ）を修正するための係数である。以下、第１修正係数Ｊ１（ｍ＋１）〜第１修正係数Ｊ１（Ｎ−ｍ）を総称して、第１修正係数Ｊ１（ｘ）と記載する場合がある。第１修正係数Ｊ１（ｘ）の「ｘ」は、（ｍ＋１）〜（Ｎ−ｍ）の値をとることができる。
【００５４】
具体的には、補正部５２は、初期白基準値Ｈ（ｘ）と、白基準データとして選択された光量値Ｕ（ｘ）とを使用して、式（２）により、第１修正係数Ｊ１（ｘ）を算出する。
Ｊ１（ｘ）＝Ｈ（ｘ）÷Ｕ（ｘ）                                ・・・（２）
【００５５】
ステップＳ２０２において、補正部５２は、初期補正係数Ｋ（ｍ＋１）〜初期補正係数Ｋ（Ｎ−ｍ）を修正して、補正係数Ｑ（ｍ＋１）〜補正係数Ｑ（Ｎ−ｍ）を算出する。補正係数Ｑ（ｍ＋１）〜補正係数Ｑ（Ｎ−ｍ）は、第１光量データＤ１をシェーディング補正するための係数である。以下、補正係数Ｑ（ｍ＋１）〜補正係数Ｑ（Ｎ−ｍ）を総称して、補正係数Ｑ（ｘ）と記載する場合がある。補正係数Ｑ（ｘ）の「ｘ」は、（ｍ＋１）〜（Ｎ−ｍ）の値をとることができる。
具体的には、補正部５２は、第１修正係数Ｊ１（ｘ）と、初期補正係数Ｋ（ｘ）とを使用して、式（３）により、補正係数Ｑ（ｘ）を算出する。
Ｑ（ｘ）＝Ｊ１（ｘ）×Ｋ（ｘ）                                  ・・・（３）
【００５６】
ステップＳ２０３において、光量データ取得部５１は、撮像部３５１ａから原稿Ｒの第１光量データＤ１を取得する。
具体的には、第１光量データＤ１は、光量値Ｄ（ｍ＋１）〜光量値Ｄ（Ｎ−ｍ）を含む。光量値Ｄ（ｍ＋１）〜光量値Ｄ（Ｎ−ｍ）は、撮像素子Ｅ（ｍ＋１）〜撮像素子Ｅ（Ｎ−ｍ）が原稿Ｒを撮像して出力した光量値Ｅ（ｍ＋１）〜光量値Ｅ（Ｎ−ｍ）である。以下、光量値Ｄ（ｍ＋１）〜光量値Ｄ（Ｎ−ｍ）を総称して、光量値Ｄ（ｘ）と記載する場合がある。光量値Ｄ（ｘ）の「ｘ」は、（ｍ＋１）〜（Ｎ−ｍ）の値をとることができる。
【００５７】
ステップＳ２０４において、補正部５２は、第１光量データＤ１としての光量値Ｄ（ｍ＋１）〜光量値Ｄ（Ｎ−ｍ）をシェーディング補正して、補正後光量値ＣＤ（ｍ＋１）〜補正後光量値ＣＤ（Ｎ−ｍ）を算出する。以下、補正後光量値ＣＤ（ｍ＋１）〜補正後光量値ＣＤ（Ｎ−ｍ）を総称して、補正後光量値ＣＤ（ｘ）と記載する場合がある。補正後光量値ＣＤ（ｘ）の「ｘ」は、（ｍ＋１）〜（Ｎ−ｍ）の値をとることができる。
具体的には、補正部５２は、補正係数Ｑ（ｘ）と、光量値Ｄ（ｘ）とを使用して、式（４）により、補正後光量値ＣＤ（ｘ）を算出する。
ＣＤ（ｘ）＝Ｄ（ｘ）×Ｑ（ｘ）                                  ・・・（４）
【００５８】
再び図６を参照して、補正部５２の否定的判定（ステップＳ１０２でＮＯ）の後、ステップＳ１０４において、補正部５２は、撮像部３５１ａから一対の第２領域３５２ｂの第３光量データＤ３を取得する。
【００５９】
具体的には、第３光量データＤ３は、光量値Ｖ（１）〜光量値Ｖ（ｍ）と光量値Ｖ（Ｎ−ｍ＋１）〜光量値Ｖ（Ｎ）とを含む。光量値Ｖ（１）〜光量値Ｖ（ｍ）は、撮像素子Ｅ（１）〜撮像素子Ｅ（ｍ）が一方の第２領域３５２ｂを撮像して出力した光量値Ｅ（１）〜光量値Ｅ（ｍ）である。光量値Ｖ（Ｎ−ｍ＋１）〜光量値Ｖ（Ｎ）は、撮像素子Ｅ（Ｎ−ｍ＋１）〜撮像素子Ｅ（Ｎ）が他方の第２領域３５２ｂを撮像して出力した光量値Ｅ（Ｎ−ｍ＋１）〜光量値Ｅ（Ｎ）である。
以下、光量値Ｖ（１）〜Ｖ（ｍ）及び光量値Ｖ（Ｎ−ｍ＋１）〜Ｖ（Ｎ）を総称して、光量値Ｖ（ｘ）と記載する場合がある。光量値Ｖ（ｘ）の「ｘ」は、１〜ｍの値及び（Ｎ−ｍ＋１）〜Ｎの値をとることができる。
【００６０】
ステップＳ１０５において、補正部５２は、第３光量データＤ３の示す光量値ＷＶ２が第２閾値ＴＨ２以上であるか否かを判定する。
具体的には、光量値ＷＶ２は、光量値Ｖ（１）〜Ｖ（ｍ）及び光量値Ｖ（Ｎ−ｍ＋１）〜Ｖ（Ｎ）の平均値である。第２閾値ＴＨ２は、報知部５３による報知が頻繁に実行されないように、比較的に小さな値に設定される。例えば、ＴＨ２＜ＴＨ１、である。第２閾値ＴＨ２は、例えば、実験的及び／又は経験的に定められる。
【００６１】
補正部５２は、否定的判定をした場合（ステップＳ１０５でＮＯ）、処理をステップＳ１０７に進める。
一方、補正部５２は、肯定的判定をした場合（ステップＳ１０５でＹＥＳ）、処理をステップＳ１０６に進める。補正部５２の肯定的判定は、補正部５２が、第３光量データＤ３としての光量値Ｖ（１）〜Ｖ（ｍ）及び光量値Ｖ（Ｎ−ｍ＋１）〜Ｖ（Ｎ）を白基準データとして選択したことを示す。
ステップＳ１０６において、補正部５２は、第２補正処理を実行する。
【００６２】
図８は、ステップＳ１０６に示す第２補正処理を示すフローチャートである。図８に示すように、ステップＳ３０１において、補正部５２は、第２修正係数Ｊ２（１）及び第２修正係数Ｊ２（２）を算出する。第２修正係数Ｊ２（１）は、初期補正係数Ｋ（ｍ＋１）〜初期補正係数Ｋ（Ｎ／２）を修正するための係数である。第２修正係数Ｊ２（２）は、初期補正係数Ｋ（Ｎ／２＋１）〜初期補正係数Ｋ（Ｎ−ｍ）を修正するための係数である。
【００６３】
具体的には、補正部５２は、光量値Ｖ（１）〜光量値Ｖ（ｍ）の平均値ＶＡ（１）を算出する。また、補正部５２は、初期白基準値Ｈ（１）〜初期白基準値Ｈ（ｍ）の平均値ＨＡ（１）を算出する。そして、式（５）により、第２修正係数Ｊ２（１）を算出する。
Ｊ２（１）＝ＨＡ（１）÷ＶＡ（１）                              ・・・（５）
また、補正部５２は、光量値Ｖ（Ｎ−ｍ＋１）〜光量値Ｖ（Ｎ）の平均値ＶＡ（２）を算出する。また、補正部５２は、初期白基準値Ｈ（Ｎ−ｍ＋１）〜初期白基準値Ｈ（Ｎ）の平均値ＨＡ（２）を算出する。そして、式（６）により、第２修正係数Ｊ２（２）を算出する。
Ｊ２（２）＝ＨＡ（２）÷ＶＡ（２）                              ・・・（６）
【００６４】
ステップＳ３０２において、補正部５２は、初期補正係数Ｋ（ｍ＋１）〜初期補正係数Ｋ（Ｎ−ｍ）を修正して、補正係数Ｑ（ｍ＋１）〜補正係数Ｑ（Ｎ−ｍ）を算出する。
具体的には、補正部５２は、初期補正係数Ｋ（ｍ＋１）〜初期補正係数Ｋ（Ｎ／２）の各々に、第２修正係数Ｊ２（１）を乗算し、補正係数Ｑ（ｍ＋１）〜補正係数Ｑ（Ｎ／２）を算出する。また、補正部５２は、初期補正係数Ｋ（Ｎ／２＋１）〜初期補正係数Ｋ（Ｎ−ｍ）の各々に、第２修正係数Ｊ２（２）を乗算し、補正係数Ｑ（Ｎ／２＋１）〜補正係数Ｑ（Ｎ−ｍ）を算出する。
【００６５】
ステップＳ３０３の処理は、図７のステップＳ２０３の処理と同様であり、説明を省略する。
ステップＳ３０４の処理は、図７のステップＳ２０４の処理と同様であり、説明を省略する。
【００６６】
再び図６を参照して、補正部５２の否定的判定（ステップＳ１０５でＮＯ）の後、ステップＳ１０７において、報知部５３は、白基準ローラー３５２を清掃する旨をユーザーに報知する。
【００６７】
以上、図４〜図８を参照して説明したように、本実施形態によれば、第１領域３５２ａに対応する第２光量データＤ２が第１閾値ＴＨ１よりも小さい場合に、補正部５２は、第２領域３５２ｂに対応する第３光量データＤ３を白基準データとして選択する。第２領域３５２ｂは、原稿Ｒが接触しない領域であり、第１領域３５２ａよりも、ごみ、汚れ、及び／又は傷が存在している可能性が低い。したがって、第１領域３５２ａにごみ、汚れ、及び／又は傷が存在しても、第３光量データＤ３を白基準データとして選択することで、原稿Ｒの画像を示す第１光量データＤ１を良好にシェーディング補正することができる。
【００６８】
また、本実施形態によれば、第１領域３５２ａに、ごみ、汚れ、及び／又は傷が存在しても、第３光量データＤ３を白基準データとして選択することで、白基準ローラー３５２を清掃することなく、第１光量データを良好にシェーディング補正することができる。その結果、ユーザーによる白基準ローラー３５２の清掃頻度を低減することができる。
【００６９】
更に、本実施形態によれば、補正部５２は、光量値Ｕ（ｍ＋１）〜光量値Ｕ（Ｎ−ｍ）のうちの最小の光量値を、第１閾値ＴＨ１と比較している（ステップＳ１０２）。したがって、例えば、第１領域３５２ａの一部に傷がある場合、又は第１領域３５２ａに点状の汚れがある場合には、第２領域３５２ｂに対応する第３光量データＤ３が白基準データとして選択される。その結果、例えば、第１領域３５２ａの一部に傷がある場合でも、又は第１領域３５２ａに点状の汚れがある場合でも、第１光量データＤ１を良好にシェーディング補正することができる。
【００７０】
更に、本実施形態によれば、補正部５２は、第２領域３５２ｂに対応する光量値Ｖ（１）〜Ｖ（ｍ）及び光量値Ｖ（Ｎ−ｍ＋１）〜Ｖ（Ｎ）の平均値を、第２閾値ＴＨ２と比較している（ステップＳ１０５）。したがって、第２領域３５２ｂの一部に、ごみ、汚れ、及び／又は傷が存在する場合に、過度に報知処理（ステップＳ１０７）が実行されることを抑制できる。その結果、ユーザーによる白基準ローラー３５２の清掃の負担を軽減することができる。
【００７１】
更に、本実施形態によれば、一対の第２領域３５２ｂのうちの一方の第２領域３５２ｂに対応する第３光量データＤ３（光量値Ｖ（１）〜Ｖ（ｍ））を白基準データとして、他方の第２領域３５２ｂよりも一方の第２領域３５２ｂに近い側の第１光量データＤ１（光量値Ｄ（ｍ＋１）〜Ｄ（Ｎ／２））をシェーディング補正する（ステップＳ３０１〜ステップＳ３０４）。第１光量データＤ１を出力した撮像素子Ｅ（ｍ＋１）〜撮像素子Ｅ（Ｎ／２）と、第３光量データＤ３を出力した撮像素子Ｅ（１）〜撮像素子Ｅ（ｍ）とが比較的に近いことで、より誤差の小さい第２修正係数Ｊ２（１）を算出することができる。したがって、第１光量データＤ１をより良好にシェーディング補正することができる。
【００７２】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００７３】
（１）図６を参照して説明したように、ステップＳ１０２では、光量値ＷＶ１は、光量値Ｕ（ｍ＋１）〜光量値Ｕ（Ｎ−ｍ）のうちの最小の光量値であった。ただし、光量値ＷＶ１は、光量値Ｕ（ｍ＋１）〜光量値Ｕ（Ｎ−ｍ）の平均値であってもよい。また、ステップＳ１０５では、光量値ＷＶ２は、光量値Ｖ（１）〜Ｖ（ｍ）及び光量値Ｖ（Ｎ−ｍ＋１）〜Ｖ（Ｎ）の平均値であった。ただし、光量値ＷＶ２は、光量値Ｖ（１）〜Ｖ（ｍ）及び光量値Ｖ（Ｎ−ｍ＋１）〜Ｖ（Ｎ）のうちの最小の光量値でもよい。最小の光量値を第２閾値ＴＨ２と比較することにより、第２領域３５２ｂに、ごみ、汚れ、及び／又は傷が存在する場合に、直ちに白基準ローラー３５２を清掃する旨を報知することができる。その結果、第１光量データＤ１を更に適正にシェーディング補正することができる。更に、第２閾値ＴＨ２は、第１閾値ＴＨ１よりも小さかった。ただし、第２閾値ＴＨ２は、第１閾値ＴＨ１以上であってもよい。
【００７４】
（２）図８を参照して説明したように、ステップＳ３０１〜ステップＳ３０４では、一対の第２領域３５２ｂのうちの一方の第２領域３５２ｂに対応する第３光量データＤ３（光量値Ｖ（１）〜Ｖ（ｍ））を白基準データとして、他方の第２領域３５２ｂよりも一方の第２領域３５２ｂに近い側の第１光量データＤ１（光量値Ｄ（ｍ＋１）〜Ｄ（Ｎ／２））をシェーディング補正した。また、他方の第２領域３５２ｂに対応する第３光量データＤ３（光量値Ｖ（Ｎ−ｍ＋１）〜Ｖ（Ｎ））を白基準データとして、一方の第２領域３５２ｂよりも他方の第２領域３５２ｂに近い側の第１光量データＤ１（光量値Ｄ（Ｎ／２＋１）〜Ｄ（Ｎ−ｍ））をシェーディング補正した。
【００７５】
ただし、ステップＳ３０１において、補正部５２は、第２修正係数Ｊ２を算出してもよい。第２修正係数Ｊ２は、初期補正係数Ｋ（ｍ＋１）〜Ｋ（Ｎ−ｍ）を修正するための係数である。
具体的には、補正部５２は、光量値Ｖ（１）〜Ｖ（ｍ）及び光量値Ｖ（Ｎ−ｍ＋１）〜Ｖ（Ｎ）の平均値ＶＡを算出する。また、補正部５２は、初期白基準値Ｈ（１）〜Ｈ（ｍ）及び初期白基準値Ｈ（Ｎ−ｍ＋１）〜Ｈ（Ｎ）の平均値ＨＡを算出する。そして、式（７）により、第２修正係数Ｊ２を算出する。
Ｊ２＝ＨＡ÷ＶＡ                                            ・・・（７）
【００７６】
そして、ステップＳ３０２において、補正部５２は、初期補正係数Ｋ（ｍ＋１）〜Ｋ（Ｎ−ｍ）の各々に、第２修正係数Ｊ２を乗算し、補正係数Ｑ（ｍ＋１）〜Ｑ（Ｎ−ｍ）を算出してもよい。
【００７７】
（３）図１〜図８を参照して説明した本実施形態では、黒基準データは０であった。ただし、黒基準データが０でないシェーディング補正においても、本発明を適用することが可能である。
【００７８】
（４）図７を参照して説明したように、補正部５２は、補正係数Ｑ（ｍ＋１）〜補正係数Ｑ（Ｎ−ｍ）を算出するために、ステップＳ２０１において、光量値Ｕ（ｍ＋１）〜光量値Ｕ（Ｎ−ｍ）から第１修正係数Ｊ１（ｍ＋１）〜第１修正係数Ｊ１（Ｎ−ｍ）を算出した。ただし、補正部５２は、最大値Ｈｍａｘと、光量値Ｕ（ｍ＋１）〜光量値Ｕ（Ｎ−ｍ）とから直接に補正係数Ｑ（ｍ＋１）〜補正係数Ｑ（Ｎ−ｍ）を算出してもよい。
具体的には、補正部５２は、式（８）により補正係数Ｑを算出する。光量値Ｕ（ｘ）の「ｘ」は、（ｍ＋１）〜（Ｎ−ｍ）の値をとることができる。補正係数Ｑ（ｘ）の「ｘ」は、（ｍ＋１）〜（Ｎ−ｍ）の値をとることができる。
Ｑ（ｘ）＝Ｈｍａｘ÷Ｕ（ｘ）                                    ・・・（８）
【産業上の利用可能性】
【００７９】
本発明は、画像読取装置及び画像形成装置に関するものであり、産業上の利用可能性を有する。
【符号の説明】
【００８０】
１０        ：画像読取装置
１５        ：画像形成部
５２        ：補正部
５３        ：報知部
１００      ：画像形成装置
３５１ａ    ：撮像部
３５２      ：白基準ローラー（白基基準部材）
３５２ａ    ：第１領域
３５２ｂ    ：第２領域
Ｒ          ：原稿
【図１】
2017118193.tif 000003
【図２】
2017118193.tif 000004
【図３】
2017118193.tif 000005
【図４】
2017118193.tif 000006
【図５】
2017118193.tif 000007
【図６】
2017118193.tif 000008
【図７】
2017118193.tif 000009
【図８】
2017118193.tif 000010